(57)【要約】【課題】  比較的高価なカムスライドを交換することなしに、カムスライドの移動ストロークの変更を行うことができ、多種類のカムスライドを予め準備する必要をなくし得るプレス金型用カムを提供する。【解決手段】  プレス金型用カム１は、カム面２を有するカムスライド３と、カムスライド３をＸ方向に移動させるカムドライバ４と、カムスライド３を元の位置に復帰させる復帰手段５とを具備し、復帰手段５は、有底孔１１に配されたコイルスプリング４２と、コイルスプリング４２を保持する保持手段４３とを具備し、有底孔１１において有底孔１１の孔底７３とコイルスプリング４２の他端７４との間には、カムスライド３の本体１２のＸ方向の移動ストロークを調節する円筒体からなる調整部材７５が配されている。【選択図】        図１
2007125619.tif 000002
【特許請求の範囲】
【請求項１】
カム面を有した移動自在なカムスライドと、このカムスライドのカム面に当接してカムスライドを移動させるカムドライバと、カムスライドを元の位置に復帰させる復帰手段とを具備しており、復帰手段は、当該カムスライドに形成された有底孔に配されたコイルスプリングと、このコイルスプリングを保持する保持手段とを具備しており、保持手段は、カムスライドを摺動自在に貫通し、かつコイルスプリングに取り囲まれて有底孔を通って伸長したロッドと、コイルスプリングの一端を受容すべく、ロッドの一端部に設けられたばね受とを具備しており、有底孔において当該有底孔の孔底とコイルスプリングの他端との間には、カムスライドの移動ストロークを調節する調整部材が配されているプレス金型用カム。
【請求項２】
調整部材は、ロッドが貫通した円筒体からなる請求項１に記載のプレス金型用カム。
【請求項３】
カムスライドは、下置きカムタイプであり、下型側の基台には矩形凹所が形成されており、この矩形凹所にカムスライドが移動自在に配されている請求項１又は２に記載のプレス金型用カム。
【請求項４】
カムスライドは、吊りカムタイプであり、上型側の基台には矩形凹所が形成されており、この矩形凹所にカムスライドが移動自在に配されている請求項１又は２に記載のプレス金型用カム。
【請求項５】
復帰手段は、複数個設けられている請求項１から４のいずれか一つに記載のプレス金型用カム。
【発明の詳細な説明】
【技術分野】
【０００１】
本発明は、プレス金型用カムに関する。
【発明の開示】
【発明が解決しようとする課題】
【０００２】
プレス金型用カムは、通常、カム面を有した移動自在なカムスライドと、このカムスライドのカム面に当接してカムスライドを移動させるカムドライバと、カムスライドを元の位置に復帰させる復帰手段とを具備しており、復帰手段としては、下型若しくは上型のベース部材に孔を形成し、カムスライドにコイルスプリングのガイドピンを植設し、ガイドピンを取り囲むようしてコイルスプリングをベースに形成された孔に挿着したもの、あるいはスプリングユニットを用いたものがある。
【０００３】
前者の復帰手段によれば、カムスライドのカムからの抜き取りは、エンドプレートを上型又は下型のベース部材から取り外し、その後、コイルスプリング及びガイドピンがベース部材の孔外に位置するように、カムスライドを移動させる必要があり、このカムスライドの移動が干渉物などにより行い得ない場合には、カムスライドのみのカムからの抜き取りは不可能となり、カム全体を型から取り外さなければならない事態となる。
【０００４】
また、後者の復帰手段によれば、これはカムスライドの外の下方にコイルスプリング等を設けたものであるため、設置スペースを多く必要とする上に、カムスライドの移動を滑り案内する摺動案内面をカムスライドの下方に設けることが困難となり、スプリングユニットを避けてこれらを設ける結果、カムスライドの横幅が広くなり、これによっても広い設置スペースを必要とすると共に、カムスライドの摺動面積が小さくなり、それほど満足し得るものではない。
【０００５】
そこで、本出願人は、特願平７−２１５１９０号において、一端がカムスライドに当接して、当該カムスライドに形成された有底孔に配されたコイルスプリングと、このコイルスプリングを保持する保持手段を有した復帰手段とを具備し、保持手段が、カムスライドを貫通し、かつコイルスプリングに取り囲まれて有底孔を通って伸長したロッドと、コイルスプリングの他端を受容すべく、有底孔側におけるロッドの一端部に設けられたばね受とを具備してなるプレス金型用カムを提案した。この提案に係るプレス金型用カムは、上記両復帰手段の不都合を解決し得て、十分に満足しうるものであるが、カムスライドの移動ストロークを異ならせたい場合等においては、それに対応した高価なカムスライドとコイルスプリングとを準備する必要が生じる等の無駄が多くなり、この点において満足し得るものではない。
【０００６】
本発明は、前記諸点に鑑みてなされたものであって、その目的とするところは、比較的高価なカムスライドを交換することなしに、カムスライドの移動ストロークの変更を行うことができ、多種類のカムスライドを予め準備する必要をなくし得るプレス金型用カムを提供することにある。
【課題を解決するための手段】
【０００７】
本発明によれば前記目的は、カム面を有した移動自在なカムスライドと、このカムスライドのカム面に当接してカムスライドを移動させるカムドライバと、カムスライドを元の位置に復帰させる復帰手段とを具備しており、復帰手段は、当該カムスライドに形成された有底孔に配されたコイルスプリングと、このコイルスプリングを保持する保持手段とを具備しており、保持手段は、カムスライドを摺動自在に貫通し、かつコイルスプリングに取り囲まれて有底孔を通って伸長したロッドと、コイルスプリングの一端を受容すべく、ロッドの一端部に設けられたばね受とを具備しており、有底孔において当該有底孔の孔底とコイルスプリングの他端との間に、カムスライドの移動ストロークを調節する調整部材が配されているプレス金型用カムによって達成される。
【０００８】
調整部材は、有底孔に配置することができて、かつコイルスプリングの長短に合わせて、コイルスプリングの他端を受容できる形状であれば、いかなる形状のものであってもよいが、ロッドが移動自在に貫通した円筒体からなるものが好ましい。
【０００９】
カムスライドは、下置きカムタイプ又は吊りカムタイプのいずれであってもよいが、下置きカムタイプの場合には、下型側の基台に矩形凹所が形成されて、この矩形凹所にカムスライドが移動自在に配され、矩形凹所の底壁と側壁とにそれぞれ摺動自在に当接する滑り材がカムスライドの本体の底壁と側壁とに取り付けられていてもよい。一方、カムスライドが吊りカムタイプの場合には、上型側の基台に矩形凹所が形成されて、この矩形凹所にカムスライドが移動自在に配され、矩形凹所の底壁と側壁とにそれぞれ摺動自在に当接する滑り材がカムスライドの本体の上壁と側壁とに取り付けられていてもよい。
【００１０】
なお、多数の工具をカムスライドに設ける場合など大きな復帰力を必要とする場合等には、復帰手段を多複数個設けてもよい。また、本発明では、ロッドの他端部に、カムスライドからのロッドの抜けを防止する膨大部を形成してもよい。
【発明の効果】
【００１１】
本発明によれば、比較的高価なカムスライドを交換することなしに、カムスライドの移動ストロークの変更を行うことができ、多種類のカムスライドを予め準備する必要をなくし得る。また本発明によれば、カムスライドに取り付ける工具が重い場合などにおいて、コイルスプリングの戻し力によっては高速にカムスライドを元の位置に復帰させ難い際に、より長い調整部材に取り換えることにより、実質的に戻し力を大きくし得る効果もある。
【発明の実施の形態】
【００１２】
次に本発明及びその実施の形態を、図に示す好ましい実施例に基づいて更に詳細に説明する。なお、本発明はこれら実施例に何等限定されないのである。
【実施例】
【００１３】
図１から図２において、本例のプレス金型用カム１は、カム面２を有したＸ方向（水平方向）に移動自在なカムスライド３と、カムスライド３のカム面２に当接してカムスライド３をＸ方向に移動させるカムドライバ４と、カムスライド３を元の位置に復帰させる復帰手段５とを具備している。
【００１４】
カムスライド３は、下部に有底孔１１を有した本体１２と、本体１２の底壁１３と両側壁１４及び１５とのそれぞれにねじ又はボルト１６等により取り付けられた滑り材１７、１８及び１９とを具備している。
【００１５】
本例のカムスライド３は、下置きカムタイプであり、下型の基台２１には矩形凹所２２が形成されており、矩形凹所２２にカムスライド３がＸ方向に移動自在に配されており、滑り材１７、１８及び１９は、矩形凹所２２の底壁２３と両側壁２４及び２５とにそれぞれＸ方向に摺動自在に当接している。本体１２の前面２６に、切刃等の工具が取り付けられる。
【００１６】
カムドライバ４は、上型の基台３１に取り付けられた本体３２と、本体３２の斜面にねじ又はボルト等により取り付けられた滑り材３３とを具備しており、滑り材３３の外面がカムスライド３のカム面２に当接するカム面３４を構成している。
【００１７】
復帰手段５は、有底孔１１に配されたコイルスプリング４２と、コイルスプリング４２を保持する保持手段４３とを具備している。
【００１８】
保持手段４３は、カムスライド３の本体１２に形成された貫通孔４４を摺動自在に貫通し、かつコイルスプリング４２に取り囲まれて有底孔１１を通って伸長したロッド４５と、コイルスプリング４２の一端４６を受容すべく、ロッド４５の一端部４７に、当該ロッド４５に螺合されたボルト５０により固着されて設けられたばね受４８とを具備している。貫通孔４４において、ロッド４５と本体１２との間には、カムスライド３のＸ方向の移動を滑らかにするブッシュ５１が本体１２に固着されて設けられており、本例では、ロッド４５は、ブッシュ５１に対してＸ方向に相対的に摺動自在となって、貫通孔４４を貫通している。
【００１９】
ロッド４５の他端部５２には、本体１２からのロッド４５の抜けを防止する膨大部５３が形成されており、本体１２には、カムスライド３が元の位置に復帰された際に膨大部５３を受容する凹所５４が形成されている。ロッド４５は、矩形凹所２２の前壁６１と後壁６２との間に配されており、前壁６１にばね受４８が当接し得るようになっており、後壁６２との間に隙間Ｇをもって膨大部５３が配されている。隙間Ｇは、カムスライド３が元の位置に復帰された際に、後壁６２とカムスライド３の本体１２の後面２７との間にも形成されるようになっている。なお、コイルスプリング４２の弾性力によるカムスライド３の復帰の際に、凹所５４において膨大部５３がカムスライド３の本体１２に激突するのを防止するために、ロッド４５の膨大部５３の前面には、ワッシャ６３を介してウレタン製のワッシャ６４が装着されている。ロッド４５は、膨大部５３が形成されたロッド本体４５ａと、一端部４７を構成するカラー４５ｂとの二部材からなり、ロッド本体４５ａとカラー４５ｂとは、ボルト５０により一体連結されている。
【００２０】
カムスライド３の本体１２の両側壁１４及び１５にはそれぞれ、段部６５及び６６が形成されており、段部６５及び６６にそれぞれ係合して、カムスライド３をＸ方向に移動自在に保持する保持板７１がねじ又はボルト７２等により基台２１に固着されて設けられている。
【００２１】
有底孔１１において当該有底孔１１の孔底７３とコイルスプリング４２の他端７４との間には、カムスライド３の本体１２のＸ方向の移動ストロークを調節する円筒体からなる調整部材７５が配されており、ロッド４５は、調整部材７５を移動自在に貫通して伸びている。
【００２２】
以上のように下型の基台２１に置かれてなる下置きタイプのカムスライド３を具備したプレス金型用カム１では、図３に示すように、カムドライバ４が上昇位置に配されている際には、カムスライド３は、コイルスプリング４２の弾性力により元の位置に復帰されている。カムスライド３がこのように元の位置に復帰されている際には、後壁６２とカムスライド３の本体１２の後面２７との間には、隙間Ｇが形成されるようになっている。カムドライバ４が油圧ラム等の作動により下降されると、カムドライバ４のカム面３４がカムスライド３のカム面２に当接し、これによりカムドライバ４の更なる下降と共にカムスライド３は、コイルスプリング４２の弾性力に抗してＸ方向に移動されて、図１に示す位置に配される。カムスライド３のＸ方向の移動において、カムスライド３の前面２６に装着された工具により、工作物に穴明け等を含むプレス加工が施される。プレス加工完了後、カムドライバ４が上昇されることにより、図３に示すように、カムスライド３もまたコイルスプリング４２の弾性力より元の位置に復帰される。
【００２３】
そして本例のプレス金型用カム１では、コイルスプリング４２の伸縮によるカムスライド３のＸ方向の移動量が調整部材７５により調整されており、例えば、Ｘ方向長がより長い凹所２２に対してプレス金型用カム１を適用して、当該プレス金型用カム１をより長いストロークをもって移動させようとする場合には、Ｘ方向長のより短い調整部材７５とＸ方向長のより長いコイルスプリング４２とを準備して、これらと、元のものとを入れ替えればよい。Ｘ方向長のより短い調整部材７５を用いると、Ｘ方向長のより長い有底孔１１を有したカムスライド３に交換することなしに、コイルスプリング４２の伸縮可能量を増大させることができ、プレス金型用カム１をより長いストロークを持って移動させることができる。このようにプレス金型用カム１では、調整部材７５とコイルスプリング４２との交換により、カムスライド３の移動ストロークの変更に適切に対応することができる。したがって、高価なカムスライド３を多数予め準備して、在庫しておく必要がなくなるのである。
【００２４】
なお、プレス金型用カム１では、ねじ又はボルト７２等を緩めて保持板７１を取り外すことにより、カムスライド３を基台２１から簡単に抜き取ることができ、カムスライド３の取付け、取外しを極めて簡単、容易に行うことができる。また、本体１２の底壁１３と両側壁１４及び１５とのそれぞれに滑り材１７、１８及び１９を取り付けて、これらによりカムスライド３をＸ方向に移動自在に支持し得るため、カムスライド３のＸ方向の移動が安定になされ、而してカムスライド３による加工が正確になされる。しかも復帰手段５をほぼカムスライド３の下部に装着しているため、占有スペースを小さくすることができ、コンパクトなプレス金型用カムを提供することができる。
【００２５】
以上の例はカムスライド３を下置きカムタイプで構成したプレス金型用カムであるが、これに代えて、図４及び図５に示すように、カムスライド３を、吊りカムタイプで構成してもよい。以下、図４及び図５に示すプレス金型用カム８１について説明する。
【００２６】
図４及び図５において、プレス金型用カム８１は、カム面２を有したＹ方向（斜め方向）に移動自在なカムスライド３と、カムスライド３のカム面２に当接してカムスライド３をＹ方向に移動させるカムドライバ４と、カムスライド３を元の位置に復帰させる復帰手段５とを具備している。
【００２７】
カムスライド３は、上部に有底孔１１を有した本体１２と、本体１２の上壁８２と両側壁１４及び１５とのそれぞれにねじ又はボルト１６等により取り付けられた滑り材１７、１８及び１９と、本体１２の斜面にねじ又はボルト等により取り付けられた滑り材３３とを具備しており、滑り材３３の外面がカムドライバ４のカム面３４に当接するカム面２を構成している。
【００２８】
上型の基台３１には矩形凹所８３が形成されており、矩形凹所８３にカムスライド３がＹ方向に移動自在に配されており、滑り材１７、１８及び１９は、矩形凹所８３の底壁８４と両側壁８５及び８６とにそれぞれＹ方向に摺動自在に当接している。本体１２の前面２６に、切刃等の工具が取り付けられる。
【００２９】
カムドライバ４は、カム面２に当接するカム面３４を斜面に有し、下型の基台２１に取り付けられた本体３２を具備している。
【００３０】
復帰手段５は、有底孔１１に配されたコイルスプリング４２と、コイルスプリング４２を保持する保持手段４３とを具備している。
【００３１】
保持手段４３は、本体１２に形成された貫通孔４４を摺動自在に貫通し、かつコイルスプリング４２に取り囲まれて有底孔１１を通って伸長したロッド４５と、コイルスプリング４２の一端４６を受容すべく、ロッド４５の一端部４７に、当該ロッド４５に螺合されたボルト５０により固着されて設けられたばね受４８とを具備している。貫通孔４４において、ロッド４５と本体１２との間には、カムスライド３のＹ方向の移動を滑らかにするブッシュ５１が本体１２に固着されて設けられて、ロッド４５は、ブッシュ５１に対してＹ方向に相対的に摺動自在となって、貫通孔４４を貫通している。
【００３２】
ロッド４５の他端部５２には、本体１２からのロッド４５の抜けを防止する膨大部５３が形成されており、本体１２には、カムスライド３が元の位置に復帰された際に膨大部５３を受容する凹所５４が形成されている。ロッド４５は、矩形凹所８３の前壁９１と後壁９２との間に配されており、前壁９１にばね受４８が当接し得るようになっており、後壁９２との間に、隙間Ｇをもって膨大部５３が配されている。隙間Ｇは、カムスライド３が元の位置に復帰された際に、後壁９２とカムスライド３の本体１２の後面２７との間にも形成されるようになっている。なお、コイルスプリング４２の弾性力によるカムスライド３の復帰の際に、凹所５４において膨大部５３がカムスライド３の本体１２に激突するのを防止するために、ロッド４５の膨大部５３の前面には、ワッシャ６３を介してウレタン製のワッシャ６４が装着されている。ロッド４５は、前記と同様に、膨大部５３が形成されたロッド本体４５ａと、一端部４７を構成するカラー４５ｂとの二部材からなり、ロッド本体４５ａとカラー４５ｂとは、ボルト５０により一体連結されている。
【００３３】
カムスライド３の両側壁１４及び１５にはそれぞれ、段部６５及び６６が形成されており、段部６５及び６６にそれぞれ係合して、カムスライド３をＹ方向に移動自在に吊り下げ保持する保持板７１がねじ又はボルト７２等により基台３１に固着されて設けられている。
【００３４】
有底孔１１において当該有底孔１１の孔底７３とコイルスプリング４２の他端７４との間には、カムスライド３の本体１２のＹ方向の移動ストロークを調節する円筒体からなる調整部材９５が配されており、ロッド４５は、調整部材９５を移動自在に貫通して伸びている。
【００３５】
以上のプレス金型用カム８１では、カムスライド３が基台３１の下降及び上昇と共に同じく下降及び上昇され、この下降及び上昇においてカムスライド３がＹ方向に移動されて、而して、プレス金型用カム１と同様の作用効果を奏し得る。
【００３６】
尚、矩形凹所２２又は８３の前壁６１又は９１と後壁６２又は９２とのそれぞれに位置決め用の段部凹所をそれぞれ形成して、段部凹所にそれぞればね受け４８と膨大部５３とを配置してもよい。
【００３７】
図６に示すプレス金型用カム１１０は、吊りカムタイプであって、多数の工具をカムスライド３の前面２６に設ける場合など大きな復帰力を必要とする場合の例であって、本例のプレス金型用カム１１０は、上記の復帰手段５が複数個、本例では６個並設されて構成されている。また、プレス金型用カム１１０では、カムスライド３の本体１２の下面中央には、Ｙ方向に伸びる案内凹所１１１が、カムドライバ４の本体３２の上面中央には、同じくＹ方向に伸びる案内突起１１２がそれぞれ形成されており、カムスライド３の下降において、案内凹所１１１と案内突起１１２とが係合して、この係合によりカムスライド３のＹ方向の確実な移動が案内されるようになっている。
【００３８】
更に、図６に示すプレス金型用カム１１０には、強制戻し機構が設けられており、この強制戻し機構は、カムスライド３の本体１２の両側壁１４及び１５に取り付けられた突起１３１（側壁１５の突起は図示せず）と、カムスライド３の下降の際に、突起１３１のそれぞれに係合するように、カムドライバ４のカム面３４の両端にボルト１３２により取り付けられた一対の鉤部材１３３とを具備しており、強制戻し機構は、カムスライド３の上昇の初期に、互いに係合する鉤部材１３３と突起１３１とを介してカムスライド３に初期復帰力を与える。カムドスライド３の一定量の上昇後に、鉤部材１３３と突起１３１との係合は解除されるようになっている。このようなプレス金型用カム１１０においても、各復帰手段５に調整部材９５を用いることにより、前述と同様の効果を得ることができる。
【図面の簡単な説明】
【００３９】
【図１】本発明の好ましい一実施例の側面断面図である。
【図２】図１に示す実施例の正面説明図である。
【図３】図１に示す実施例の動作説明図である。
【図４】本発明の好ましい他の実施例の側面断面図である。
【図５】図４に示す実施例の正面説明図である。
【図６】本発明の好ましい更に他の実施例の一部分解斜視図である。
【符号の説明】
【００４０】
１  プレス金型用カム
２  カム面
３  カムスライド
４  カムドライバ
５  復帰手段
１１  有底孔
４２  コイルスプリング
４３  保持手段
４５  ロッド
４８  ばね受
７５  調整部材
【図１】
2007125619.tif 000003
【図２】
2007125619.tif 000004
【図３】
2007125619.tif 000005
【図４】
2007125619.tif 000006
【図５】
2007125619.tif 000007
【図６】
2007125619.tif 000008